(57)【要約】      （修正有）【課題】一回の操作で、１回だけの打撃動作を行えるようにした打撃工具を提供する。【解決手段】圧縮ガス供給路２４を開閉する供給路開閉弁２６と、圧縮ガス供給路に接続された駆動方向切換弁室２８と、シリンダ１４の後部空間３０及び切換弁室を連通する第１通路３２と、シリンダの前部空間３４及び切換弁室を連通する第２通路３６と、切換弁室内の駆動方向切換弁３８とを有する。第２通路を外部に連通する第３通路２８−７内に設定された連続打撃／一回打撃切換弁４４は、駆動方向切換弁が第１通路連通位置にあって、打撃駆動子が前方に駆動されたときに、打撃駆動子によって圧縮される前部空間のガスの圧力を第３通路を通して外部へ逃す一回打撃位置と、同ガスの圧力を保持する連続打撃位置とのいずれかの位置に選択的に位置決めされるようにした。【選択図】図１
2005193363.tif 000002
【特許請求の範囲】
【請求項１】
打撃工具であって、
工具本体と、
該工具本体に取り付けられ、閉止前端及び閉止後端を備えるシリンダと、
閉止前端を貫通するように設定され、当該シリンダの前後方向で変位可能とされた打撃体と、
上記シリンダ内に摺動可能に設定され、打撃体の後端に前方へ向っての打撃を加える打撃駆動子と、
該打撃駆動子を上記シリンダ内で前後方向に駆動するための圧縮ガスを供給するために上記工具本体に設けられた圧縮ガス供給手段と、
を有し、
上記圧縮ガス供給手段が、
圧縮ガス源に連通され圧縮ガスを供給する圧縮ガス供給路と、
該圧縮ガス供給路を開閉する供給路開閉弁と、
圧縮ガス供給路に接続された駆動方向切換弁室と、
上記シリンダの閉止後端と上記打撃駆動子の後端面との間の後部空間と、上記駆動方向切換弁室とを連通する第１通路と、
上記シリンダ室の閉止前端と上記打撃駆動子の前端面との間の前部空間と、上記駆動方向切換弁室とを連通する第２通路と、
駆動方向切換弁室内に摺動可能に設定され、圧縮ガス供給路を上記第１通路に連通する第１通路連通位置と第２通路に連通する第２通路連通位置との間で変位可能とされた駆動方向切換弁と、を有し
該駆動方向切換弁が、
第１通路連通位置にあって、圧縮ガスを上記後部空間に供給し上記打撃駆動子を前方に駆動したときには、該打撃駆動子によって圧縮される上記前部空間のガスの圧力を受けて第２通路連通位置に向けて変位され、
第２通路連通位置にあって、圧縮ガスを上記前部空間に供給し上記打撃駆動子を後方へ駆動したときには、該打撃駆動子によって圧縮される上記後部空間のガスの圧力を受けて第１通路連通位置に向けて変位され、
上記第１及び第２通路連通位置の間を繰り返し変位することによって、上記打撃駆動子を前後に駆動可能にしてあり、
当該打撃工具が、更に、
上記第２通路を外部に連通する第３通路と、
該第３通路内に設定された連続打撃／一回打撃切換弁と
を有し、
連続打撃／一回打撃切換弁は、
上記駆動方向切換弁が上記第１通路連通位置にあって、上記打撃駆動子が前方に駆動されたときに、該打撃駆動子によって圧縮される上記前部空間のガスの圧力が上記駆動方向切換弁に作用して第２通路連通位置に向けて変位されないように、同圧力を上記第３通路を通して外部へ逃す一回打撃位置と、
同ガスの圧力が上記駆動方向切換弁に作用して第２通路連通位置に向けて変位されるように、同圧力を保持する連続打撃位置と
のいずれかの位置に選択的に位置決めされるようにした
ことを特徴とする打撃工具。
【請求項２】
請求項１に記載の打撃工具であって、
上記供給路開閉弁を開閉操作する操作部材を有し、
該操作部材が上記供給路開閉弁を開位置にしたときに
上記連続打撃／一回打撃切換弁が、
上記一回打撃位置、若しくは、上記連続打撃位置
のいずれかの位置になるように選択的に設定できるようにした
ことを特徴とする打撃工具。
【請求項３】
請求項２に記載の打撃工具であって、
上記供給路開閉弁が閉位置にあるときに、
上記連続打撃／一回打撃切換弁が上記連続打撃位置にあり、
上記操作部材が、上記供給路開閉弁を開位置にしたときに、同連続打撃／一回打撃切換弁が上記第２通路内のガス圧により上記一回打撃位置に変位可能とした
ことを特徴とする打撃工具。
【請求項４】
請求項１乃至３のいずれかに記載の打撃工具であって、
上記供給路開閉弁が閉位置にあるときに、
上記駆動方向切換弁が上記第２通路連通位置にあるようにされ、且つ、
上記連続打撃／一回打撃切換弁が上記連続打撃位置とされており、
当該打撃工具が更に係止部材を有し、該係止部材は
上記連続打撃／一回打撃切換弁に対して相対的に、
該連続打撃／一回打撃切換弁と係合して、上記供給路開閉弁が開位置とされたときに、該連続打撃／一回打撃切換弁が上記一回打撃位置に変位するのを阻止する変位阻止位置と、
該連続打撃／一回打撃切換弁が上記一回打撃位置に変位するのを許容する変位許容位置とのいずれかに選択的に位置決めできるようにした
ことを特徴とする打撃工具。
【請求項５】
請求項４に記載の打撃工具であって、
上記連続打撃／一回打撃切換弁が上記第３通路内でその軸線方向における上記連続打撃位置及び一回打撃位置の間で変位可能とされ、且つ、同軸線の周りで回動可能とされており、
同連続打撃／一回打撃切換弁が上記第３通路の軸線方向に延び、且つ、当該連続打撃／一回打撃切換弁を横断方向で貫通する第１貫通孔と、該第１貫通孔に交差し同横断方向に貫通する第２貫通孔であって、その両端開口が第1貫通孔の上記軸線方向に延びる両端開口から側方へ延出するようになされた第２貫通孔とを有し、
上記係止部材は、上記第１貫通孔内を横断方向で延び上記工具本体に固定され、該第１貫通孔内にあるときは、上記連続打撃／一回打撃切換弁が上記連続打撃位置及び一回打撃位置との間で変位するのを許容する上記変位許容位置となり、
上記連続打撃／一回打撃切換弁が上記軸線の周りで回動されて当該係止部材が上記第２貫通孔内に位置するようにされたときには、上記連続打撃／一回打撃切換弁を上記連続打撃位置に保持し、上記一回打撃位置に変位するのを阻止する上記変位阻止位置となる
ようにしたことを特徴とする打撃工具。
【請求項６】
請求項１乃至５のいずれかに記載の打撃工具であって、
上記駆動方向切換弁を上記第２通路連通位置に付勢するバネを有することを特徴とする打撃工具。
【請求項７】
請求項１乃至６のいずれかに記載の打撃工具であって、
上記連続打撃／一回打撃切換弁が上記第３通路の軸線方向で貫通する排気路を有し、
同第３通路内には、密封部材が設けられており、
上記連続打撃／一回打撃切換弁が上記連続打撃位置にあるときには、上記密封部材によって上記排気路が閉止され、
上記一回打撃位置にあるときには、上記排気路が上記密封部材から離れて開放されるようにした
ことを特徴とする打撃工具。
【請求項８】
請求項７に記載の打撃工具であって、
上記第３通路が断面円形とされ、
該第３通路内に、その軸線の周りで回動可能とされた筒状部材が設けられ、
上記連続打撃／一回打撃切換弁が、該筒状部材内に軸線方向で摺動可能で円周方向では当該外側筒状部材に変位不能にして設定され、
上記排気路が上記筒状部材の内壁面と、上記連続打撃／一回打撃切換弁の外周面との間の隙間により形成されている
ことを特徴とする打撃工具。
【請求項９】
請求項３に記載の打撃工具であって、
上記操作部材が、上記供給路開閉弁が閉位置にあるときに、
上記連続打撃／一回打撃切換弁を上記連続打撃位置に付勢し、
同操作部材が、上記供給路開閉弁を開位置にするために動かされるときに、上記供給路開閉弁が開位置となるよりも所要の遅れをもって、上記一回打撃位置に変位するように設定されている
ことを特徴とする打撃工具。
【請求項１０】
請求項９に記載の打撃工具であって、
上記操作部材が板バネを備え、該板バネによって上記連続打撃／一回打撃切換弁を上記連続打撃位置に付勢し、同操作部材が上記供給路開閉弁を開位置にするために動かされるときに、該操作部材の動きが一定になるまでは上記板バネが上記連続打撃／一回打撃切換弁の上記連続打撃位置への付勢を続けるようにした
ことを特徴とする打撃工具。
【発明の詳細な説明】
【技術分野】
【０００１】
本発明は、圧縮ガス(一般的には圧縮空気)を駆動源として、釘やピンを打ち付けたり、溶接の際に発生するスパッタを落としたり、又は、リベットを剥がしたりするのに使われる打撃工具に関する。
【背景技術】
【０００２】
圧縮空気を駆動源とした打撃工具は、従来から知られている（例えば、特許文献１参照）。従来の打撃工具は、一般的に、連続的に打撃を行うことにより、材料の打ち切りなど所要の作業を行うようになっている。
【特許文献１】実公昭５０−１４２２０号
【発明の開示】
【発明が解決しようとする課題】
【０００３】
しかし、例えば、スパッタ落しなどにおいては、連続的に打撃を加えて行うと、当該スパッタが付着している部分を必要以上に打撃して傷をつけてしまう可能性がある。釘やピンを打ちつける場合にも、連続的打撃によって、打ち付け部分を傷つけてしまう可能性がある。このため、作業者の一回の操作で、一回だけの打撃を行うことができるようにした工具が望まれる。
本発明は、このような工具を提供することを目的とする。
【課題を解決するための手段】
【０００４】
すなわち、本発明は、
打撃工具であって、
工具本体と、
該工具本体に取り付けられ、閉止前端及び閉止後端を備えるシリンダと、
閉止前端を貫通するように設定され、当該シリンダの前後方向で変位可能とされた打撃体と、
上記シリンダ内に摺動可能に設定され、打撃体の後端に前方へ向っての打撃を加える打撃駆動子と、
該打撃駆動子を上記シリンダ内で前後方向に駆動するための圧縮ガスを供給するために上記工具本体に設けられた圧縮ガス供給手段と、
を有し、
上記圧縮ガス供給手段が、
圧縮ガス源に連通され圧縮ガスを供給する圧縮ガス供給路と、
該圧縮ガス供給路を開閉する供給路開閉弁と、
圧縮ガス供給路に接続された駆動方向切換弁室と、
上記シリンダの閉止後端と上記打撃駆動子の後端面との間の後部空間と、上記駆動方向切換弁室とを連通する第１通路と、
上記シリンダ室の閉止前端と上記打撃駆動子の前端面との間の前部空間と、上記駆動方向切換弁室とを連通する第２通路と、
駆動方向切換弁室内に摺動可能に設定され、圧縮ガス供給路を上記第１通路に連通する第１通路連通位置と第２通路に連通する第２通路連通位置との間で変位可能とされた駆動方向切換弁と、を有し
該駆動方向切換弁が、
第１通路連通位置にあって、圧縮ガスを上記後部空間に供給し上記打撃駆動子を前方に駆動したときには、該打撃駆動子によって圧縮される上記前部空間のガスの圧力を受けて第２通路連通位置に向けて変位され、
第２通路連通位置にあって、圧縮ガスを上記前部空間に供給し上記打撃駆動子を後方へ駆動したときには、該打撃駆動子によって圧縮される上記後部空間のガスの圧力を受けて第１通路連通位置に向けて変位され、
上記第１及び第２通路連通位置の間を繰り返し変位することによって、上記打撃駆動子を前後に駆動可能にしてあり、
当該打撃工具が、更に、
上記第２通路を外部に連通する第３通路と、
該第３通路内に設定された連続打撃／一回打撃切換弁と
を有し、
連続打撃／一回打撃切換弁は、
上記駆動方向切換弁が上記第１通路連通位置にあって、上記打撃駆動子が前方に駆動されたときに、該打撃駆動子によって圧縮される上記前部空間のガスの圧力が上記駆動方向切換弁に作用して第２通路連通位置に向けて変位されないように、同圧力を上記第３通路を通して外部へ逃す一回打撃位置と、
同ガスの圧力が上記駆動方向切換弁に作用して第２通路連通位置に向けて変位されるように、同圧力を保持する連続打撃位置と
のいずれかの位置に選択的に位置決めされるようにした
ことを特徴とする打撃工具を提供する。
この打撃工具においては、連続打撃／一回打撃切換弁が連続打撃位置とされているときには、駆動方向切換弁が、第１通路連通位置にあって、圧縮ガスを後部空間に供給し打撃駆動子を前方に駆動したときには、該打撃駆動子によって圧縮される前部空間のガスの圧力を受けて第２通路連通位置に向けて変位され、また、第２通路連通位置にあって、圧縮ガスを前部空間に供給し上記打撃駆動子を後方へ駆動したときには、該打撃駆動子によって圧縮される後部空間のガスの圧力を受けて第１通路連通位置に向けて変位されるのを可能とし、従って、当該駆動方向切換弁が第１及び第２通路連通位置の間を繰り返し変位することによって、打撃駆動子を前後に連続的に駆動することができる。
【０００５】
また、連続打撃／一回打撃切換弁が一回打撃位置とされているときには、打撃駆動子が前方に駆動されたときに、該打撃駆動子によって圧縮される前部空間のガスの圧力が駆動方向切換弁に作用して第２通路連通位置に向けて変位されないように、同圧力を上記第３通路を通して外部へ逃すため、上記の如く打撃駆動子を前後に連続的駆動することはできず、一回の打撃だけでその打撃動作は終了する。
【０００６】
具体的例としては、
上記供給路開閉弁を開閉操作する操作部材を有し、
該操作部材が上記供給路開閉弁を開位置にしたときに
上記連続打撃／一回打撃切換弁が、
上記一回打撃位置、若しくは、上記連続打撃位置
のいずれかの位置になるように選択的に設定することができる。
以下に述べる実施形態では、連続打撃／一回打撃切換弁は供給路開閉弁の開動作に連動して一回打撃位置若しくは連続打撃位置となるように設定されるものが開示されているが、例えば、シリンダ部材の先端部分に外部に連通した孔を設け、該孔に当該連続打撃／一回打撃切換弁を設けて、供給路開閉弁の開動作と関係なく、作業者が同連続打撃／一回打撃切換弁の設定を行うことも可能である。
また、上記供給路開閉弁が閉位置にあるときに、
上記連続打撃／一回打撃切換弁が上記連続打撃位置にあり、
上記操作部材が、上記供給路開閉弁を開位置にしたときに、同連続打撃／一回打撃切換弁が上記第２通路内のガス圧により上記一回打撃位置に変位可能とすることができる。
このようにすることにより、一回打撃を行った後、作業者が供給路開閉弁を閉位置とすれば、次の一回打撃を行う準備が整うことになる。
ただし、連続打撃／一回打撃切換弁を、供給路開閉弁が閉位置にあるときに一回打撃位置としておき、供給路開閉弁を開位置にしたときに、連続打撃位置となるようにすることもできる。また、連続打撃／一回打撃切換弁の切換動作はガス以外の例えばバネなどによっても可能である。
【０００７】
また、上記供給路開閉弁が閉位置にあるときに、
上記駆動方向切換弁が上記第２通路連通位置にあるようにされ、且つ、
上記連続打撃／一回打撃切換弁が上記連続打撃位置とされており、
当該打撃工具が更に係止部材を有し、該係止部材は
上記連続打撃／一回打撃切換弁に対して相対的に、
該連続打撃／一回打撃切換弁と係合して、上記供給路開閉弁が開位置とされたときに、該連続打撃／一回打撃切換弁が上記一回打撃位置に変位するのを阻止する変位阻止位置と、
該連続打撃／一回打撃切換弁が上記一回打撃位置に変位するのを許容する変位許容位置とのいずれかに選択的に位置決めできるようにすることができる。
【０００８】
また、上記連続打撃／一回打撃切換弁が上記第３通路内でその軸線方向における上記連続打撃位置及び一回打撃位置の間で変位可能とし、且つ、同軸線の周りで回動可能とされており、
同連続打撃／一回打撃切換弁が上記第３通路の軸線方向に延び、且つ、当該連続打撃／一回打撃切換弁を横断方向で貫通する第１貫通孔と、該第１貫通孔に交差し同横断方向に貫通する第２貫通孔であって、その両端開口が第1貫通孔の上記軸線方向に延びる両端開口から延出するようになされた第２貫通孔とを有し、
上記係止部材は、上記第１貫通孔内を横断方向で延び上記工具本体に固定され、該第１貫通孔内にあるときは、上記連続打撃／一回打撃切換弁が上記連続打撃位置及び一回打撃位置との間で変位するのを許容する上記変位許容位置となり、
上記連続打撃／一回打撃切換弁が上記軸線の周りで回動されて当該係止部材が上記第２貫通孔内に位置するようにされたときには、上記連続打撃／一回打撃切換弁を上記連続打撃位置に保持し、上記一回打撃位置に変位するのを阻止する上記変位阻止位置となるようにすることができる。
【０００９】
駆動方向切換弁を上記第２通路連通位置に付勢するバネを有するようにすることもできる。
【００１０】
更に、上記連続打撃／一回打撃切換弁が上記第３通路の軸線方向で貫通する排気路を有し、
同第３通路内には、密封部材が設けられており、
上記連続打撃／一回打撃切換弁が上記連続打撃位置にあるときには、上記密封部材によって上記排気路が閉止され、
上記一回打撃位置にあるときには、上記排気路が上記密封部材から離れて開放されるようにすることができる。
【００１１】
具体的には、上記第３通路が断面円形とされ、
該第３通路内に、その軸線の周りで回動可能とされた筒状部材が設けられ、
上記連続打撃／一回打撃切換弁が、該筒状部材内に軸線方向で摺動可能で円周方向では当該外側筒状部材に変位不能にして設定され、
上記排気路が上記筒状部材の内壁面と、上記連続打撃／一回打撃切換弁の外周面との間の隙間により形成されるようにすることができる。
【００１２】
また、上記操作部材が、上記供給路開閉弁が閉位置にあるときに、
上記連続打撃／一回打撃切換弁を上記連続打撃位置に付勢し、
同操作部材が、上記供給路開閉弁を開位置にするために動かされるときに、上記供給路開閉弁が開位置となるよりも所要の遅れをもって、上記一回打撃位置に変位するように設定したものとすることができる。
【００１３】
具体的には、操作部材が板バネを備え、該板バネによって上記連続打撃／一回打撃切換弁を上記連続打撃位置に付勢し、同操作部材が供給路開閉弁を開位置にするために動かされるときに、該操作部材の動きが一定になるまでは上記板バネが上記連続打撃／一回打撃切換弁の上記連続打撃位置への付勢を続けるようにすることができる。
【発明を実施するための最良の形態】
【００１４】
以下、添付図面に基づき本発明に係る打撃工具の実施形態につき説明する。
図１ないし図５は本発明にかかる打撃工具を示しており、図１は打撃動作を行っていないときの状態、図２及び図３は連続打撃動作状態、図４及び図５は一回打撃（一回だけの打撃）動作状態を示しており、また、図6は図１のA‐A線断面図である。
図示のように、該打撃工具１０は、工具本体１２と、該工具本体に取り付けられ、閉止前端及び閉止後端を備えるシリンダ１４と、閉止前端を貫通するように設定され、当該シリンダ１４の前後方向で変位可能とされた打撃体１６と、シリンダ１４内に摺動可能に設定され、打撃体１６の後端に前方へ向っての打撃駆動を加える打撃駆動子１８と、該打撃駆動子１８をシリンダ１４内で前後方向に駆動するための圧縮空気（圧縮ガス）を供給するために工具本体１２に設けられた圧縮空気供給手段（圧縮ガス供給手段）２０と、を有する。
【００１５】
圧縮空気供給手段２０は、圧縮空気源すなわちエアポンプ(図示せず)に接続され圧縮空気を供給する圧縮空気供給路２４と、該圧縮空気供給路２４を開閉する供給路開閉弁２６と、圧縮空気供給路２４に連通された駆動方向切換弁室２８と、シリンダ１４の閉止後端と打撃駆動子１８の後端面との間の後部空間３０と駆動方向切換弁室２８とを連通する第１通路３２と、シリンダの閉止前端と上記打撃駆動子の前端面との間の前部空間３４と駆動方向切換弁室２８とを連通する第２通路３６と、駆動方向切換弁室２８内に摺動可能に設定され、圧縮空気供給路２４を第１通路３２に連通する第１通路連通位置(図２、図５)と、第２通路に連通する第２通路連通位置（図１、図３、図４）との間で変位可能とされた駆動方向切換弁３８と、を有している。
【００１６】
図示のように、駆動方向切換弁室２８は、工具本体１２に形成されている孔２８−１内に挿入固定され、駆動方向切換弁３８を収納している第１筒状部材２８−２、及び、該第１筒状部材２８−２の端部開口を閉じるように設定されている第２筒状部材２８−３により形成されている。圧縮空気供給路２４は、第１筒状部材２８−２の周囲を取り囲む環状部分２４−１で終端しており、第２通路３６は第２筒状部材２８−３に十字状に形成された貫通孔２８−４を介して駆動方向切換弁室２８に連通されている。駆動方向切換弁３８が第１通路連通位置(図２、図５)にあるときは、第１筒状部材２８―２の側壁に形成された第１貫通孔２８−５が圧縮空気供給路２４の環状部分２４−１を駆動方向切換弁室２８を介して第１通路３２に連通し、駆動方向切換弁３８が第２通路連通位置（図１、図３、図４）にあるときは、第１筒状部材２８−３の側壁に形成された第２貫通孔２８−６が圧縮空気供給路の環状部分２４−１を駆動方向切換弁室２８を介して第２通路３６に連通するようになっている。
【００１７】
駆動方向切換弁３８は、第１通路連通位置（図２）にあって、圧縮空気を後部空間３０に供給し打撃駆動子１８を前方に駆動したときには、該打撃駆動子１８によって圧縮される前部空間３４内の空気の圧力を受けて第２通路連通位置(図３)に向けて変位され、該第２通路連通位置（図３）にあって、圧縮空気を前部空間３４に供給し打撃駆動子１８を後方へ駆動したときには、該打撃駆動子１８によって圧縮される後部空間３０の空気の圧力を受けて第１通路連通位置(図２)に向けて変位され、第１及び第２通路連通位置の間を繰り返し変位することによって打撃駆動子１８を前後に繰り返し駆動し、打撃体１６を連続的に打撃するようになっている。打撃体１６は、シリンダ１４の閉止前端部分に設けたコイルバネ３９によって、後退方向に付勢されており、上記打撃によって前進されてワークピースに対する所要の打撃作用を行った直後に図２の位置に戻されるようになっている。
【００１８】
シリンダ１４の側壁には、複数の排気孔４２−１が設けられており、該排気孔４２−１は、シリンダ１４の周囲に設けられ、図示しない通路を通して外部に連通された凹部４２−２に連通されており、打撃駆動子１８がシリンダ１４内を前後に動くときに、当該打撃駆動子が動く方向にあって圧縮を受ける空気の排気を行い、同シリンダ１４が円滑に動けるようにしている。
供給路開閉弁２６が圧縮空気供給路２４を閉とする供給路閉位置(図１)にあるときには、駆動方向切換弁２８は、コイルバネ４０により、第２通路連通位置に付勢されている(図１)。
【００１９】
以上で説明した打撃工具１０においては、供給路開閉弁２６を開位置にすると、供給路２４の圧縮空気が第２通路を通って、上記シリンダ１４の閉止前端と上記打撃駆動子の前端面との間の前部空間３４に供給され、打撃駆動子１８を後退させ、シリンダ１４の閉止後端と上記打撃駆動子の後端面との間の後部空間３０にある空気を圧縮し、該圧縮された空気の圧力が、それまで第２通路連通位置（図１)にあった駆動方向切換弁３８に作用し、該駆動方向切換弁を第１通路連通位置（図２）に付勢する。第２連通路３６は排気孔４２−１を介して外部に連通されているので、当該駆動方向切換弁３８は第１通路連通位置（図２）に変位され、圧縮空気はシリンダ１４の後部空間３０に導入されることになり、打撃駆動子１８を前方へ駆動して、打撃体１６を打撃し、前方へ変位させる。
この場合、シリンダ１４の前部空間３４内の空気は、打撃駆動子１８によって圧縮され、駆動方向切換弁３８に作用し、一方、後部空間３０は排気孔４２−１を介して外部に連通されるので、該駆動方向切換弁３８は第２通路連通位置とされ、最初の状態に戻る。このようにして、供給路開閉弁２６が開位置とされている間は、上記動作を繰り返し、連続的打撃が行われることになる。
【００２０】
以上の構成及び作用は、従来技術に類似するものであるが、本願発明では、以下の通りの構成及び作用を有することを特徴としている。
すなわち、駆動方向切換弁室２８を形成している第２筒状部材２８−３は、同軸状にして設定され回動可能且つ軸方向変位可能にされた筒状の連続打撃／一回打撃切換弁４４を収納している。すなわち、駆動方向切換弁室２８を構成している第２筒状部材は、十字状の貫通孔２８−４に連通されている断面が円形の第３通路２８−７（図６）を有しており、該第３通路２８−７内に、その軸線の周りで回動可能とされた筒状部材４４−１が設けられ、連続打撃／一回打撃切換弁４４が、該筒状部材４４−１内に軸線方向で摺動可能で円周方向では当該外側筒状部材に変位不能にして設定されている。図６に示すように、筒状部材４４−１は、内部にその軸線方向に延びる断面が正方形の貫通孔４４−２を有し、これに対し、連続打撃／一回打撃切換弁４４は断面が正六角形とされ、貫通孔４４−２の一対の対向側面と当該連続打撃／一回打撃切換弁４４の一対の対向側面と密接するようにして同連続打撃／一回打撃切換弁４４を収納している。連続打撃／一回打撃切換弁４４の外周面と筒状部材４４−１の正方形の貫通孔壁面４４−２との間には軸線方向で延びる隙間すなわち排気孔４４−３が形成されている。該排気孔４４−３は、連続打撃／一回打撃切換弁４４が図１の状態にあるときには、Oリング４８によって閉止されている。
【００２１】
図示のように、連続打撃／一回打撃切換弁４４には、その軸線方向に延び且つ横断方向で貫通している第１貫通孔４４−４が形成されており、当該工具本体１２には該貫通孔４４−４を貫通して延びるように設定された係止ピン４４−５が設けられている。また、連続打撃／一回打撃切換弁４４には上記第１貫通孔４４−４のほぼ中央位置に、該貫通孔と交差して当該連続打撃／一回打撃切換弁を横断方向に貫通する第２の貫通孔４４−６が形成されており、その両端開口が第1貫通孔の上記軸線方向に延びる両端開口から側方へ延出するようにされ、図１乃至図５で見て、両端部開口がほぼＴ字状になるようにされている。上記のように連続打撃／一回打撃切換弁４４は、第３通路内でその軸線の周りで回動可能とされ、係止ピン４４−５が図２及び図３に示すように第２貫通孔４４−６内に入った位置と、図４及び図５に示すように第１貫通孔４４−４内に入った位置とのいずれかに選択的に位置決めすることができるようになっている。図６において４４−７は、上記連続打撃／一回打撃切換弁４４の上記回動を可能にするために上記Ｔ字状開口に対応するように筒状部材４４−１に設けられた貫通孔を示し、また、図１において４４−８は、同筒状部材４４−１、従って、連続打撃／一回打撃切換弁４４を回動するため作業者が把持するノブを示している。
【００２２】
工具本体１２には、操作レバー４６が揺動可能に設定されており、図１に示す打撃操作を行わない状態においては、供給路開閉弁２６が閉位置となるようにすると共に、連続打撃／一回打撃切換弁４４と係合して、図１に示す位置（連続打撃位置）に保持するようになっている。
打撃操作を行う場合には、連続打撃／一回打撃切換弁４４を連続打撃位置に固定するために係止ピン４４−５が第２貫通孔４４−６内に入っている位置（図２、図３）とし、操作レバー４６を、図で見て反時計方向に揺動して、圧縮空気供給路２４の開閉弁２６を開状態とすることにより、圧縮空気の作用により、打撃方向切換弁３８及び打撃駆動子１８は、前述の通りの連続打撃動作を行う。
【００２３】
これに対して、連続打撃／一回打撃切換弁４４が、図４及び図５に示すように、係止ピン４４−５が第１貫通孔４４−４内に位置する状態にした場合には、操作レバー４６が反時計方向に回動されると、該操作レバー４６による係合が外され、圧縮空気供給路２４から駆動方向切換弁室２８を介して供給される圧縮空気の圧力により、連続打撃／一回打撃切換弁４４は図で見て左方へ変位され、それまでOリング４８によって閉じられていた排気路４４−４（図６参照）が、同Oリング４８からはなれた位置（一回打撃位置：図５）とされる。
ただし、操作レバー４６は、板バネ４６−１を介して連続打撃／一回打撃切換弁４４を押圧しており、図４に示すように、操作レバー４６を反時計方向に回動して供給路開閉弁２６を開き始めた状態では、当該連続打撃／一回打撃切換弁４４は、板バネ４６−１によって押圧され変位されないようになっている。
【００２４】
このため、操作レバー４６を回動すると、先ず、供給路開閉弁２６が開かれて圧縮空気がシリンダ１４の前部空間３４に導入され、打撃駆動子１８を後退させ（図４）、それに伴って、駆動方向切換弁３８が第１通路連通位置（図５）とされ、それによって圧縮空気がシリンダの後部空間３０内に導入されて打撃駆動子１８が前方へ駆動され、打撃体１６を打撃駆動するようになる。その時点では、操作レバー４６が更に押込まれており、板バネ４６−１による連続打撃／一回打撃切換弁４４の押圧は解除されており（図５）、そのときに発生するシリンダ１８の前部空間３４の圧力空気により、連続打撃／一回打撃切換弁４４は図５に示す一回打撃位置まで変位され、前部空間の圧縮空気は排気路４４−３を通して外部に逃される。このため、連続打撃動作におけるように、駆動方向切換弁３８が第２通路連通位置とされることはなく、打撃駆動子１８は前方へ駆動されたままの状態となる。すなわち、この場合の打撃動作は一回で終了する。
操作者が操作レバー４６を図１の状態に戻せば、圧縮空気の供給は止められ、駆動方向切換弁３８は、バネ４０によって図１に示す第２通路連通位置に戻される。
従って、操作者が再び操作レバー４６を反時計方向に回動すれば、再び一回だけの打撃動作が行われることになる。
以上、本発明に係る打撃工具の実施形態を説明したが、本発明はこの実施形態に限定されるものではなく、特許請求の範囲に規定される本発明の範囲内において種々の実施形態が可能である。
【図面の簡単な説明】
【００２５】
【図１】本発明に係る打撃工具が、打撃動作を行っていない状態の断面側面図である。
【図２】連続打撃／一回打撃切換弁を連続打撃位置とした状態で、操作レバーを押し込んだ直後で、シリンダの前部空間に入った圧縮空気によって打撃駆動子が後退させられた状態を示す断面側面図である。
【図３】同打撃工具が連続打撃動作状態にあり、打撃駆動子が打撃体を打撃した状態を示す断面側面図である。
【図４】連続打撃／一回打撃切換弁を一回打撃位置とした状態で、操作レバーを押し込み始めた状態で、供給路開閉弁が開位置とされた状態を示す断面側面図である。
【図５】同打撃工具が一回打撃動作状態にあり、打撃子が打撃体を打撃した状態を示す断面側面図である。
【図６】図１におけるＡ−Ａ線断面図である。
【符号の説明】
【００２６】
１０          打撃工具
１２          工具本体
１４          シリンダ
１６          打撃体
１８          打撃駆動子
２０          圧縮空気（ガス）供給手段
２４          圧縮空気供給路
２６          供給路開閉弁
２８          駆動方向切換弁室
２８−１      孔
２８−２      第１筒状部材
２８−３      第２筒状部材
２８−４      貫通孔
２８−５      第１貫通孔
２８−６      第２貫通孔
２８−７      第３通路
３０          後部空間
３２          第１通路
３４          前部空間
３６          第２通路
３８          駆動方向切換弁
３９          コイルバネ
４０          コイルバネ
４２−１      排気孔
４２−２      凹部
４４          連続打撃／一回打撃切換弁
４４−１      筒状部材
４４−２      貫通孔壁面
４４−３      排気孔
４４−４      第１貫通孔
４４−５      係止ピン
４４−６      第２の貫通孔
４４−７      貫通孔
４４−８      ノブ
４６          操作レバー
４６−１      板バネ
４８          Ｏリング
【図１】
2005193363.tif 000003
【図２】
2005193363.tif 000004
【図３】
2005193363.tif 000005
【図４】
2005193363.tif 000006
【図５】
2005193363.tif 000007
【図６】
2005193363.tif 000008